(57)【特許請求の範囲】
【請求項１】
チューブの長手方向の一方側に一つの基端側流路を形成し、他方側に前記基端側流路から分岐して延びる複数の先端側流路を前記チューブの周方向に配置した状態に形成して構成される医療用チューブにおける前記基端側流路から、前記複数の先端側流路のうちの所定の先端側流路にかけて、ガイドワイヤを通す際に用いられるガイドワイヤ挿入補助具であって、
前記ガイドワイヤを通すための挿通孔が軸方向に貫通して形成された棒状体における前記挿通孔の先端部を前記棒状体の基端側部分の中心軸から外周側にずれた位置に配置させて構成され、
前記棒状体の外周面に、前記軸方向に延びる第１の線状目印が設けられていることを特徴とするガイドワイヤ挿入補助具。
【請求項２】
前記第１の線状目印を、前記外周面における前記挿通孔の先端部が外周側にずれた部分の外周側端部が位置する側に沿って設けた請求項１に記載のガイドワイヤ挿入補助具。
【請求項３】
前記棒状体を真っ直ぐに延びる棒状に形成し、前記棒状体の中心軸と外周面との間に、前記ガイドワイヤを通すための挿通孔を形成することにより、前記挿通孔の先端部を前記棒状体の基端側部分の中心軸から外周側にずれた位置に配置させた請求項１または２に記載のガイドワイヤ挿入補助具。
【請求項４】
前記棒状体の基端側部分を真っ直ぐに延びる棒状に形成するとともに、その先端部を屈曲させることにより、前記挿通孔の先端部を前記棒状体の基端側部分の中心軸から外周側にずれた位置に配置させた請求項１または２に記載のガイドワイヤ挿入補助具。
【請求項５】
請求項１ないし４のうちのいずれか一つに記載のガイドワイヤ挿入補助具と、前記医療用チューブと、前記ガイドワイヤとからなる医療用チューブセットであって、
前記医療用チューブを、前記複数の先端側流路のうちの少なくとも一つの先端側流路を除く他の先端側流路と、その先端側流路が形成された部分の外周面との間に軸方向に沿って延びるスリットが前記先端側流路と連通して設けられたチューブで構成し、前記ガイドワイヤを、前記基端側流路から前記スリットが設けられていない先端側流路にかけて通すものとした医療用チューブセット。
【請求項６】
請求項１ないし３のうちのいずれか一つに記載のガイドワイヤ挿入補助具と、前記医療用チューブと、前記ガイドワイヤとからなる医療用チューブセットであって、
前記医療用チューブを、前記複数の先端側流路のうちの少なくとも一つの先端側流路を除く他の先端側流路と、その先端側流路が形成された部分の外周面との間に軸方向に沿って延びるスリットが前記先端側流路と連通して設けられたチューブで構成し、前記ガイドワイヤを、前記基端側流路から前記スリットが設けられていない先端側流路にかけて通すものとし、
前記医療用チューブを、前記基端側流路と前記先端側流路との間に、前記基端側流路の断面形状と前記複数の先端側流路の断面形状との中間の形状の断面形状を備えた移行流路を形成したチューブで構成するとともに、前記ガイドワイヤ挿入補助具を、断面外郭形状が前記移行流路の断面外郭形状と同形の棒状体で構成し、前記ガイドワイヤ挿入補助具を前記基端側流路から前記移行流路まで挿入可能にした医療用チューブセット。
【請求項７】
請求項４に記載のガイドワイヤ挿入補助具と、前記医療用チューブと、前記ガイドワイヤとからなる医療用チューブセットであって、
前記医療用チューブを、前記複数の先端側流路のうちの少なくとも一つの先端側流路を除く他の先端側流路と、その先端側流路が形成された部分の外周面との間に軸方向に沿って延びるスリットが前記先端側流路と連通して設けられたチューブで構成し、前記ガイドワイヤを、前記基端側流路から前記スリットが設けられていない先端側流路にかけて通すものとし、
前記医療用チューブを、他方側部分の断面形状を略楕円状の扁平な形状に形成しその略楕円状の長軸の両端側部分と、長軸の中央側を挟んだ両側部分とにそれぞれ先端側流路を形成したチューブで構成した医療用チューブセット。
【請求項８】
前記医療用チューブを、前記基端側流路と前記先端側流路との間に、前記基端側流路の断面形状と前記複数の先端側流路の断面形状との中間の形状の断面形状を備えた移行流路を形成したチューブで構成するとともに、前記ガイドワイヤ挿入補助具を、前記基端側流路から前記移行流路まで挿入可能にした請求項７に記載の医療用チューブセット。
【請求項９】
チューブの長手方向の一方側に一つの基端側流路を形成し、他方側に前記基端側流路から分岐して延びる複数の先端側流路を前記チューブの周方向に配置した状態に形成して構成される医療用チューブにおける前記基端側流路から、前記複数の先端側流路のうちの所定の先端側流路にかけて、ガイドワイヤを通す際に用いられ、前記ガイドワイヤを通すための挿通孔が軸方向に貫通して形成された棒状体における前記挿通孔の先端部を前記棒状体の基端側部分の中心軸から外周側にずれた位置に配置させて構成されるガイドワイヤ挿入補助具と、前記医療用チューブと、前記ガイドワイヤとからなる医療用チューブセットであって、
前記医療用チューブを、前記複数の先端側流路のうちの少なくとも一つの先端側流路を除く他の先端側流路と、その先端側流路が形成された部分の外周面との間に軸方向に沿って延びるスリットが前記先端側流路と連通して設けられたチューブで構成し、前記ガイドワイヤを、前記基端側流路から前記スリットが設けられていない先端側流路にかけて通すものとし、
前記医療用チューブを、前記基端側流路と前記先端側流路との間に、前記基端側流路の断面形状と前記複数の先端側流路の断面形状との中間の形状の断面形状を備えた移行流路を形成したチューブで構成するとともに、前記ガイドワイヤ挿入補助具を、断面外郭形状が前記移行流路の断面外郭形状と同形の棒状体で構成し、前記ガイドワイヤ挿入補助具を前記基端側流路から前記移行流路まで挿入可能にした医療用チューブセット。
【請求項１０】
前記医療用チューブの外周面における前記スリットが設けられていない先端側流路が形成された部分に前記医療用チューブの軸方向に延びる第２の線状目印を設けた請求項５ないし９のうちのいずれか一つに記載の医療用チューブセット。
【請求項１１】
前記医療用チューブの内周面における前記基端側流路が形成された部分に、凹部または凸部からなる被係合部を設けるとともに、前記ガイドワイヤ挿入補助具の外周面に、前記医療用チューブの軸方向に沿って前記被係合部とスライド係合可能な凸部または凹部からなる係合部を設けた請求項５ないし１０のうちのいずれか一つに記載の医療用チューブセット。
【請求項１２】
チューブの長手方向の一方側に一つの基端側流路を形成し、他方側に前記基端側流路から分岐して延びる複数の先端側流路を前記チューブの周方向に配置した状態に形成して構成される医療用チューブにおける前記基端側流路から、前記複数の先端側流路のうちの所定の先端側流路にかけて、ガイドワイヤを通す際に用いられ、前記ガイドワイヤを通すための挿通孔が軸方向に貫通して形成された棒状体における前記挿通孔の先端部を前記棒状体の基端側部分の中心軸から外周側にずれた位置に配置させて構成されるガイドワイヤ挿入補助具と、前記医療用チューブと、前記ガイドワイヤとからなる医療用チューブセットであって、
前記医療用チューブを、前記複数の先端側流路のうちの少なくとも一つの先端側流路を除く他の先端側流路と、その先端側流路が形成された部分の外周面との間に軸方向に沿って延びるスリットが前記先端側流路と連通して設けられたチューブで構成し、前記ガイドワイヤを、前記基端側流路から前記スリットが設けられていない先端側流路にかけて通すものとし、
前記医療用チューブの内周面における前記基端側流路が形成された部分に、凹部または凸部からなる被係合部を設けるとともに、前記ガイドワイヤ挿入補助具の外周面に、前記医療用チューブの軸方向に沿って前記被係合部とスライド係合可能な凸部または凹部からなる係合部を設けた医療用チューブセット。
【発明の詳細な説明】
【技術分野】
【０００１】
本発明は、患者の傷部から排液を排出したり患者の傷部に薬液を供給したりするために用いられる医療用チューブの交換時に、医療用チューブ内にガイドワイヤを挿入する際に用いられるガイドワイヤ挿入補助具およびそれを備えた医療用チューブセットに関する。
【背景技術】
【０００２】
従来から、患者の手術後の傷部に溜まる排液を体外へ排出するために医療用チューブが用いられている。この医療用チューブは、先端側を患者の傷部に留置して、基端側を体外に延ばし、その体外の基端部に吸引器具を接続して使用される。すなわち、吸引器具の吸引力により医療用チューブを介して排液を排出する操作が行われ、所定時間経過して、医療用チューブ内が詰まったり医療用チューブが劣化したりしたときには新たな医療用チューブと交換される。この医療用チューブの交換の際には、医療用チューブ内にガイドワイヤを通し、ガイドワイヤを患者の傷部まで到達させた状態で医療用チューブだけを引き抜き、新たに医療用チューブをガイドワイヤに沿って挿入することが行われる（例えば、特許文献１参照）。
【０００３】
この医療用チューブ（医療用ドレーンチューブ）は、扁平形状の管状に形成されており、扁平形状の断面の一方端近傍に弧状または直線状の支持壁を設けて、医療用チューブの内腔をドレナージ部とガイドワイヤ孔とに分けている。そして、ドレナージ部は排液を排出するために用いられ、ガイドワイヤ孔は、医療用チューブを交換する際に、ガイドワイヤを通すために用いられる。
【特許文献１】実開平６−７０７４６号公報
【発明の開示】
【０００４】
医療用チューブの中には、先端側に複数の流路を形成するとともに、複数の流路のうちの所定の流路が形成された部分に流路と外部とを連通するスリットを形成して、排液の吸引をより効果的に行えるようにしたものもある。このような場合には、複数の流路のうちのスリットが設けられていない流路を、ガイドワイヤを通すための挿通孔として利用する。しかしながら、この場合、医療用チューブの先端側部分は患者の体内に留置されるため、スリットが設けられていない流路を確認することができない場合があり、複数の流路のうちのスリットが設けられていない流路にガイドワイヤを通すことが難しいという問題がある。
【０００５】
本発明は、このような事情に鑑みなされたもので、その目的は、ガイドワイヤを医療用チューブの所定の流路に通すことのできるガイドワイヤ挿入補助具およびそれを備えた医療用チューブセットを提供することである。
【０００６】
前述した目的を達成するため、本発明に係るガイドワイヤ挿入補助具の構成上の特徴は、チューブの長手方向の一方側に一つの基端側流路を形成し、他方側に基端側流路から分岐して延びる複数の先端側流路をチューブの周方向に配置した状態に形成して構成される医療用チューブにおける基端側流路から、複数の先端側流路のうちの所定の先端側流路にかけて、ガイドワイヤを通す際に用いられるガイドワイヤ挿入補助具であって、ガイドワイヤを通すための挿通孔が軸方向に貫通して形成された棒状体における挿通孔の先端部を棒状体の基端側部分の中心軸から外周側にずれた位置に配置させて構成され、棒状体の外周面に、軸方向に延びる第１の線状目印が設けられていることにある。
【０００７】
前述のように構成した本発明に係るガイドワイヤ挿入補助具は、ガイドワイヤを通すための挿通孔が軸方向に貫通した棒状体で構成され、その挿通孔の先端部、すなわち、医療用チューブの奥側に挿し込まれる部分が、棒状体の基端側部分の中心軸から外周側にずれた位置に配置されるようにしている。これによって、医療用チューブの周方向に沿って形成された複数の先端側流路のうちの所定の先端側流路に、棒状体の基端側部分の中心軸から外周側にずれた挿通孔の先端部を合わせることが容易になる。そして、医療用チューブ内に挿入されたガイドワイヤ挿入補助具の基端側から挿入孔にガイドワイヤを挿入していくと、ガイドワイヤの先端部は、棒状体の基端側部分の中心軸から外周側にずれた方向に突出していき、所定の先端側流路内に入っていく。
【０００８】
また、本発明に係るガイドワイヤ挿入補助具では、棒状体の外周面に、軸方向に延びる第１の線状目印が設けられている。これによると、医療用チューブの基端側部分にも所定の先端側流路の位置を示す目印を設けておくことにより、医療用チューブ内にガイドワイヤ挿入補助具を挿入する際に、第１の線状目印を基準として、ガイドワイヤ挿入補助具を医療用チューブに挿し込むことができる。このため、医療用チューブ内にガイドワイヤを挿入する際に、ガイドワイヤの先端部を、所定の先端側流路内に確実に入れることができる。この場合の第１の線状目印の長さは、適宜設定することができ、ガイドワイヤ挿入補助具の全長にわたって設けてもよいし、一部に設けてもよい。また、複数の点を連ねて線状にしたもので第１の線状目印を構成することもできる。
【０００９】
また、本発明に係るガイドワイヤ挿入補助具のさらに他の構成上の特徴は、第１の線状目印を、外周面における挿通孔の先端部が外周側にずれた部分の外周側端部が位置する側に沿って設けたことにある。この場合の外周側端部とは、棒状体の基端側部分の中心軸を延長した部分から最も遠くに位置する部分をいい、その外周側端部が位置する側とは、外周側端部から棒状体の中心軸回りにねじれることなく中心軸に沿って真っ直ぐに仮想線を延ばしたときのその仮想線上に位置する側をいう。これによると、第１の線状目印を所定の先端側流路に向けた状態で、ガイドワイヤ挿入補助具を医療用チューブに挿し込むことにより、ガイドワイヤ挿入補助具の挿通孔の先端部は所定の先端側流路の基端部の近傍に位置するようになって、挿通孔の先端側部分と所定の先端側流路とは略真っ直ぐに連通するようになる。
【００１０】
また、本発明に係るガイドワイヤ挿入補助具のさらに他の構成上の特徴は、棒状体を真っ直ぐに延びる棒状に形成し、棒状体の中心軸と外周面との間に、ガイドワイヤを通すための挿通孔を形成することにより、挿通孔の先端部を棒状体の基端側部分の中心軸から外周側にずれた位置に配置させたことにある。これによると、ガイドワイヤを真っ直ぐに延びる挿通孔に通すことによりそのままガイドワイヤが医療用チューブの所定の先端側流路内に入るようになるため、ガイドワイヤの挿入ミスが生じにくくなる。
【００１１】
また、本発明に係るガイドワイヤ挿入補助具のさらに他の構成上の特徴は、棒状体の基端側部分を真っ直ぐに延びる棒状に形成するとともに、その先端部を屈曲させることにより、挿通孔の先端部を棒状体の基端側部分の中心軸から外周側にずれた位置に配置させたことにある。これによると、棒状体の屈曲した先端部の長さや屈曲する角度を変えることにより、挿通孔の先端部が棒状体の基端側部分の中心軸からずれる長さを変更できるため、円筒状の医療用チューブだけでなく、異形の医療用チューブにガイドワイヤを挿入する際にも対応できる。
【００１２】
また、本発明に係る医療用チューブセットの構成上の特徴は、請求項１ないし４のうちのいずれか一つに記載のガイドワイヤ挿入補助具と、医療用チューブと、ガイドワイヤとからなる医療用チューブセットであって、医療用チューブを、複数の先端側流路のうちの少なくとも一つの先端側流路を除く他の先端側流路と、その先端側流路が形成された部分の外周面との間に軸方向に沿って延びるスリットが設けられたチューブで構成し、ガイドワイヤを、基端側流路からスリットが設けられていない先端側流路にかけて通すものとしたことにある。
【００１３】
これによると、医療用チューブに形成された複数の先端側流路のうちのいくつかの先端側流路は、先端部が開口しているだけでなく、スリットを介して側部側も開口しているため排液を吸引する際の吸引口の面積が大きくなる。これによって、医療用チューブによる効果的な排液の排出が可能になる。また、複数の先端側流路のうちの少なくとも一つにスリットを設けないことで、このスリットのない先端側流路をガイドワイヤを通すための挿通穴として利用することができる。そして、請求項１ないし４のうちのいずれか一つに記載したガイドワイヤ挿入補助具を用いることによって、ガイドワイヤを確実に基端側流路からスリットのない先端側流路にかけて通すことができる。
【００１４】
また、本発明に係る医療用チューブセットの他の構成上の特徴は、請求項１ないし３のうちのいずれか一つに記載のガイドワイヤ挿入補助具と、医療用チューブと、ガイドワイヤとからなる医療用チューブセットであって、医療用チューブを、複数の先端側流路のうちの少なくとも一つの先端側流路を除く他の先端側流路と、その先端側流路が形成された部分の外周面との間に軸方向に沿って延びるスリットが先端側流路と連通して設けられたチューブで構成し、ガイドワイヤを、基端側流路からスリットが設けられていない先端側流路にかけて通すものとし、医療用チューブを、基端側流路と先端側流路との間に、基端側流路の断面形状と複数の先端側流路の断面形状との中間の形状の断面形状を備えた移行流路を形成したチューブで構成するとともに、ガイドワイヤ挿入補助具を、断面外郭形状が移行流路の断面外郭形状と同形の棒状体で構成し、ガイドワイヤ挿入補助具を基端側流路から移行流路まで挿入可能にしたことにある。
【００１５】
これによると、医療用チューブを成形する際に、基端側から先端側にかけて徐々に形状を変化させながら成形できるため、一体成形が可能になる。また、ガイドワイヤ挿入補助具を、断面外郭形状が移行流路の断面外郭形状と同形になった棒状体で構成しているため、ガイドワイヤ挿入補助具を医療用チューブに挿入する際に、第１の線状目印を基準にしてガイドワイヤ挿入補助具を医療用チューブに挿入していくと、ガイドワイヤ挿入補助具は、軸周り方向にずれることなく移行流路まで入っていく。このため、その状態のガイドワイヤ挿入補助具の挿通孔内にガイドワイヤを基端側流路から挿入することにより、ガイドワイヤは確実にスリットのない所定の先端側流路に入っていく。
【００１６】
また、本発明に係る医療用チューブセットのさらに他の構成上の特徴は、請求項４に記載のガイドワイヤ挿入補助具と、医療用チューブと、ガイドワイヤとからなる医療用チューブセットであって、医療用チューブを、複数の先端側流路のうちの少なくとも一つの先端側流路を除く他の先端側流路と、その先端側流路が形成された部分の外周面との間に軸方向に沿って延びるスリットが先端側流路と連通して設けられたチューブで構成し、ガイドワイヤを、基端側流路からスリットが設けられていない先端側流路にかけて通すものとし、医療用チューブを、他方側部分の断面形状を略楕円状の扁平な形状に形成しその略楕円状の長軸の両端側部分と、長軸の中央側を挟んだ両側部分とにそれぞれ先端側流路を形成したチューブで構成したことにある。
【００１７】
これによっても、医療用チューブによる効果的な排液の排出が可能になるとともに、複数の先端側流路のうちのスリットのない先端側流路をガイドワイヤを通すための挿通穴として利用することができる。そして、請求項４に記載したガイドワイヤ挿入補助具を用いることによって、ガイドワイヤを確実に基端側流路からスリットのない先端側流路にかけて通すことができる。
【００１８】
また、本発明に係る医療用チューブセットでは、医療用チューブを、他方側部分の断面形状を略楕円状の扁平な形状に形成しその略楕円状の長軸の両端側部分と、長軸の中央側を挟んだ両側部分とにそれぞれ先端側流路を形成したチューブで構成している。これによると、医療用チューブの他方側部分を扁平な管状に形成しても、ガイドワイヤを医療用チューブの基端側流路からスリットのない所定の先端側流路に確実に通すことができる。
【００１９】
また、本発明に係る医療用チューブセットのさらに他の構成上の特徴は、医療用チューブを、基端側流路と先端側流路との間に、基端側流路の断面形状と複数の先端側流路の断面形状との中間の形状の断面形状を備えた移行流路を形成したチューブで構成するとともに、ガイドワイヤ挿入補助具を、基端側流路から移行流路まで挿入可能にしたことにある。これによると、医療用チューブの他方側部分を扁平な管状に形成しても、ガイドワイヤ挿入補助具を医療用チューブ内の適正な位置に停止させて、ガイドワイヤ挿入補助具の挿通孔内にガイドワイヤを通すことができるようになる。
【００２０】
また、本発明に係る医療用チューブセットのさらに他の構成上の特徴は、チューブの長手方向の一方側に一つの基端側流路を形成し、他方側に基端側流路から分岐して延びる複数の先端側流路をチューブの周方向に配置した状態に形成して構成される医療用チューブにおける基端側流路から、複数の先端側流路のうちの所定の先端側流路にかけて、ガイドワイヤを通す際に用いられ、ガイドワイヤを通すための挿通孔が軸方向に貫通して形成された棒状体における挿通孔の先端部を棒状体の基端側部分の中心軸から外周側にずれた位置に配置させて構成されるガイドワイヤ挿入補助具と、医療用チューブと、ガイドワイヤとからなる医療用チューブセットであって、医療用チューブを、複数の先端側流路のうちの少なくとも一つの先端側流路を除く他の先端側流路と、その先端側流路が形成された部分の外周面との間に軸方向に沿って延びるスリットが先端側流路と連通して設けられたチューブで構成し、ガイドワイヤを、基端側流路からスリットが設けられていない先端側流路にかけて通すものとし、医療用チューブを、基端側流路と先端側流路との間に、基端側流路の断面形状と複数の先端側流路の断面形状との中間の形状の断面形状を備えた移行流路を形成したチューブで構成するとともに、ガイドワイヤ挿入補助具を、断面外郭形状が移行流路の断面外郭形状と同形の棒状体で構成し、ガイドワイヤ挿入補助具を基端側流路から移行流路まで挿入可能にしたことにある。
また、本発明に係る医療用チューブセットのさらに他の構成上の特徴は、医療用チューブの外周面におけるスリットが設けられていない先端側流路が形成された部分に医療用チューブの軸方向に延びる第２の線状目印を設けたことにある。
【００２１】
これによると、医療用チューブとガイドワイヤ挿入補助具との双方に線状の目印が施されているため、両線状の目印を基準にして、医療用チューブ内にガイドワイヤ挿入補助具を挿入することにより、医療用チューブにおけるスリットが設けられていない先端側流路と、ガイドワイヤ挿入補助具の挿通孔の先端部分とを略直線状に連通した状態にすることができる。この場合、ガイドワイヤ挿入補助具の第１の線状目印を挿通孔の近傍に設けると、医療用チューブの第２の線状目印とガイドワイヤ挿入補助具の第１の線状目印とを重ねるようにして、医療用チューブ内にガイドワイヤ挿入補助具を挿入することにより、医療用チューブにおけるスリットが設けられていない先端側流路と、ガイドワイヤ挿入補助具の挿通孔とを略直線状に連通した状態にすることができる。
【００２２】
また、本発明に係る医療用チューブセットのさらに他の構成上の特徴は、医療用チューブの内周面における基端側流路が形成された部分に、凹部または凸部からなる被係合部を設けるとともに、ガイドワイヤ挿入補助具の外周面に、医療用チューブの軸方向に沿って被係合部とスライド係合可能な凸部または凹部からなる係合部を設けたことにある。これによると、医療用チューブ内にガイドワイヤ挿入補助具を挿入する際に、医療用チューブに対してガイドワイヤ挿入補助具が軸周り方向に回転することを防止でき、ガイドワイヤ挿入補助具の挿入の途中で位置ずれが生じることを防止できる。
また、本発明に係る医療用チューブセットのさらに他の構成上の特徴は、チューブの長手方向の一方側に一つの基端側流路を形成し、他方側に基端側流路から分岐して延びる複数の先端側流路をチューブの周方向に配置した状態に形成して構成される医療用チューブにおける基端側流路から、複数の先端側流路のうちの所定の先端側流路にかけて、ガイドワイヤを通す際に用いられ、ガイドワイヤを通すための挿通孔が軸方向に貫通して形成された棒状体における挿通孔の先端部を棒状体の基端側部分の中心軸から外周側にずれた位置に配置させて構成されるガイドワイヤ挿入補助具と、医療用チューブと、ガイドワイヤとからなる医療用チューブセットであって、医療用チューブを、複数の先端側流路のうちの少なくとも一つの先端側流路を除く他の先端側流路と、その先端側流路が形成された部分の外周面との間に軸方向に沿って延びるスリットが先端側流路と連通して設けられたチューブで構成し、ガイドワイヤを、基端側流路からスリットが設けられていない先端側流路にかけて通すものとし、医療用チューブの内周面における基端側流路が形成された部分に、凹部または凸部からなる被係合部を設けるとともに、ガイドワイヤ挿入補助具の外周面に、医療用チューブの軸方向に沿って被係合部とスライド係合可能な凸部または凹部からなる係合部を設けたことにある。
【発明を実施するための最良の形態】
【００２３】
（第１実施形態）
以下、本発明の第１実施形態に係るガイドワイヤ挿入補助具およびそれを備えた医療用チューブセットを図面を用いて説明する。図１は、同実施形態に係る医療用チューブセットが備える医療用チューブ１０を示している。この医療用チューブ１０は、外周部分が略円筒状に形成されたポリウレタンからなる成形体で構成されており、基端側（図１の右端部側）から先端側（図１の左端部側）にかけての断面形状が、図２に示した状態から、図３、図４および図５に示した状態に徐々に変化している。この医療用チューブ１０は、全長が略７０ｃｍで外径が略５ｍｍに設定され、基端部から全長の略半分までの部分にかけては、内径が略３ｍｍに設定された円筒状の基端側部分１１で構成されており、その内部に、図２に示したように、断面形状が円形の基端側流路１１ａが形成されている。
【００２４】
そして、基端側部分１１の先端側に第１移行部１２が形成され、第１移行部１２の先端側に第２移行部１３が形成されている。第１移行部１２は、基端側流路１１ａの断面における円周方向に沿った部分に等間隔で４箇所に内部側に盛り上がった肉厚部を形成することにより、内部に、図３に示したように、断面形状が略十字状の第１移行流路１２ａが形成されている。この第１移行流路１２ａの断面形状は、基端側流路１１ａの直径よりも小さな直径の穴部の周囲に等間隔でさらに直径の小さな半円状の凹部を形成することにより、略十字状になっている。第２移行部１３は、第１移行部１２の断面における略十字状の第１移行流路１２ａの４箇所の凹部分の内周側に肉部を形成して、内部に、図４に示したように、直径の小さな４個の第２移行流路１３ａ，１３ｂ，１３ｃ，１３ｄを一定間隔で形成した形状になっている。
【００２５】
そして、第２移行部１３の先端側に先端側部分１４が形成されている。この先端側部分１４は、図５に示したように、基端側部分１１と略同じ肉厚の略円筒状の外周部１４ａと、外周部１４ａの内部に軸方向に沿って形成された断面形状が十字状の隔壁部１４ｂとで構成されている。隔壁部１４ｂを構成する各片の先端部はそれぞれ外周部１４ａの内面に連結されて、外周部１４ａの内部を四つの先端側流路１５ａ，１５ｂ，１５ｃ，１５ｄに区分している。そして、外周部１４ａにおける先端側流路１５ａ，１５ｂ，１５ｃに対応する部分にそれぞれ先端側流路１５ａ，１５ｂ，１５ｃを外部に連通させるためのスリット１６ａ，１６ｂ，１６ｃが、隔壁部１４ｂの中心軸と平行に形成されている。
【００２６】
この先端側部分１４は、医療用チューブ１０の先端部分を構成しており、略３０ｃｍの長さを備えている。医療用チューブ１０の全長略７０ｃｍのうちの基端側部分１１の長さと先端側部分１４の長さとを引いた残りの部分の長さが第１移行部１２の長さと第２移行部１３の長さとで占められている。また、医療用チューブ１０の外周面における第２移行流路１３ｄおよび先端側流路１５ｄが形成された部分およびその部分から基端側部分１１の基端部まで延びる部分には、Ｘ線を通さない不透過性材料からなる本発明の第２の線状目印としてのライン１７が設けられている。
【００２７】
このライン１７は、先端側流路１５ｄの位置を認識するための目印として利用されるほか、医療用チューブ１０を患者の体内に留置したときにＸ線照射により所定の確認操作を行う際に造影用のラインとしても利用される。このように構成された医療用チューブ１０は、軟質の熱可塑性樹脂材料を、所定の押出成形用金型（図示せず）を用いて成形することにより得ることができる。この場合の軟質の熱可塑性樹脂材料としては、ポリウレタンを用いることが好ましく、その他、シリコーンやポリ塩化ビニル等を用いることもできる。その成形の際に、医療用チューブ１０の基端部から先端部にかけて徐々に内周面の形状が変化するとともに、医療用チューブ１０の先端側には、スリット１６ａ，１６ｂ，１６ｃが形成される。
【００２８】
図６および図７は、ガイドワイヤ挿入補助具２０を示している。このガイドワイヤ挿入補助具２０は、断面の外郭形状が、第１移行部１２の断面形状の内周面（第１移行流路１２ａの断面外郭形状）と同じ形状に形成されており、医療用チューブ１０の基端側部分１１内と第１移行部１２内とに挿入可能な棒状体で構成されている。また、ガイドワイヤ挿入補助具２０の略十字状になった断面の４つの突出部のうちの所定の突出部内に、ガイドワイヤ挿入補助具２０の軸方向に貫通する挿通孔２１が形成されている。
【００２９】
この挿通孔２１は、ガイドワイヤ（図示せず）を通すことのできる断面形状が円形の貫通孔で構成されている。そして、ガイドワイヤ挿入補助具２０の外周面における挿通孔２１が形成された部分の近傍に本発明の第１の線状目印としてのライン２２が設けられている。このガイドワイヤ挿入補助具２０は、ポリプロピレンで構成され、その軸方向の長さは、略３０ｃｍに設定されている。なお、ガイドワイヤ挿入補助具２０を構成する材料としては、ステンレス鋼等の金属やポリ塩化ビニル等のプラスチックを用いることもできる。前述した医療用チューブ１０と、ガイドワイヤ挿入補助具２０と、ガイドワイヤとで本実施形態に係る医療用チューブセットが構成される。
【００３０】
このように構成された医療用チューブセットにおける医療用チューブ１０の基端部には穿刺用の針が取付けられる。そして、この医療用チューブセットを用いて、患者の手術後の傷部から排液を排出する際には、まず、切開された患者の傷部の内部側から外部側に針を通して、針とともに医療用チューブ１０の基端側部分１１および第１移行部１２側部分を体外に出し、先端側部分１４およびその近傍部分だけを傷部内に残しておく。つぎに、医療用チューブ１０の体外に突出した部分の所定部分を切断することにより所定の長さ分だけ残し、その基端部に、貯留容器を備えた吸引器具（図示せず）を接続する。そして、吸引器具を操作することにより、患者の傷部に生じる排液を除去する。この場合、排液は、先端側流路１５ａ，１５ｂ，１５ｃ，１５ｄの先端開口や、スリット１６ａ，１６ｂ，１６ｃから医療用チューブ１０内を通過して吸引器具の貯留容器に吸い込まれる。
【００３１】
この排液排出操作が所定時間ごとに繰り返し行われ、医療用チューブ１０に詰まりが生じたり、医療用チューブ１０に劣化が生じたりしたときには、この医療用チューブ１０を新たな医療用チューブ１０と交換することが行われる。医療用チューブ１０を交換する場合には、まず、吸引器具が取り外された状態の医療用チューブ１０の基端開口から医療用チューブ１０内にガイドワイヤ挿入補助具２０を挿入する。この場合、医療用チューブ１０のライン１７にガイドワイヤ挿入補助具２０のライン２２を合わせてガイドワイヤ挿入補助具２０を医療用チューブ１０内に挿入していく。この場合、ガイドワイヤ挿入補助具２０の先端部が、基端側流路１１ａから第１移行流路１２ａ内に入ると、ガイドワイヤ挿入補助具２０の外周面の凸部側が第１移行流路１２ａの凹部側に係合して、ガイドワイヤ挿入補助具２０は、医療用チューブ１０に対して軸回り方向に回転できなくなる。
【００３２】
そして、ガイドワイヤ挿入補助具２０の先端が、第１移行部１２の先端側（第２移行部１３の基端近傍）に達したときに、ガイドワイヤ挿入補助具２０をそれ以上挿入できなくなる。この場合、ガイドワイヤ挿入補助具２０の挿通孔２１の先端部は、第２移行部１３の第２移行流路１３ｄの基端部に対向した状態になる。このため、挿通孔２１は、第２移行流路１３ｄを介して先端側流路１５ｄに連通する。この状態で、ガイドワイヤ挿入補助具２０の基端開口から挿通孔２１内にガイドワイヤを挿入していく。そして、ガイドワイヤの先端が医療用チューブ１０の先端に到達すると、ガイドワイヤを患者の体に残したまま、医療用チューブ１０を患者の体から引き抜く。
【００３３】
つぎに、患者の体に残ったガイドワイヤを新しい医療用チューブ１０の先端側から先端側流路１５ｄ内に入れながら新しい医療用チューブ１０の先端側部分１４側を患者の傷部内に挿し込んで留置する操作を行う。この場合、医療用チューブ１０の先端側流路１５ｄは目視により確認できるため、ガイドワイヤ挿入補助具２０は不要になる。そして、新しい医療用チューブ１０を傷部に留置する操作が終了すると、前述した吸引器具を用いて排液を排出する操作が行われる。なお、所定期間使用した医療用チューブ１０に代えて新しい医療用チューブ１０を取り付けるだけでなく、治療や洗浄のために、他の種類のチューブを取り付ける場合にも同様の操作が行われる。
【００３４】
以上のように、本実施形態に係る医療用チューブセットでは、医療用チューブ１０の外周面における第２移行流路１３ｄや先端側流路１５ｄが形成されている側にライン１７が設けられ、ガイドワイヤ挿入補助具２０の外周面における挿通孔２１が形成されている側にライン２２が設けられている。したがって、ライン１７とライン２２とを合せながら医療用チューブ１０内にガイドワイヤ挿入補助具２０を挿入することにより、医療用チューブ１０の先端側流路１５ｄと、ガイドワイヤ挿入補助具２０の挿通孔２１とを連通させることができる。そして、医療用チューブ１０内に挿入されたガイドワイヤ挿入補助具２０の基端側から挿通孔２１内にガイドワイヤを挿入していくと、ガイドワイヤの先端部は、先端側流路１５ｄ内に確実に入っていく。
【００３５】
また、本実施形態では、医療用チューブ１０の外周部１４ａにおける先端側流路１５ａ，１５ｂ，１５ｃに対応する部分にそれぞれスリット１６ａ，１６ｂ，１６ｃが形成されているため、医療用チューブ１０の先端開口だけでなく、スリット１６ａ，１６ｂ，１６ｃからも排液を吸引することができる。これによって、医療用チューブ１０による効果的な排液の排出が可能になる。そして、スリットのない先端側流路１５ｄをガイドワイヤを通すための挿通穴として利用することができるため、医療用チューブ１０を交換する操作も容易になる。
【００３６】
また、本実施形態では、医療用チューブ１０の基端側部分１１と先端側部分１４との間に第１移行部１２と第２移行部１３とを設けて、内部に形成された流路を、基端側流路１１ａから第１移行流路１２ａ、第２移行流路１３ａ等および先端側流路１５ａ等へと徐々に変化するようにしている。そして、ガイドワイヤ挿入補助具２０の断面外郭形状を第１移行部１２の断面における内周面と同形にして、ガイドワイヤ挿入補助具２０を基端側流路１１ａから第１移行流路１２ａまで挿入可能にしている。
【００３７】
このため、ガイドワイヤ挿入補助具２０を医療用チューブ１０内に挿入する際に、ガイドワイヤ挿入補助具２０は、軸周り方向にずれることなく第１移行流路１２ａ内の適正位置まで入っていく。そして、その状態のガイドワイヤ挿入補助具２０の挿通孔２１内にガイドワイヤを基端側流路１１ａ側から挿入することにより、ガイドワイヤの先端部は確実に先端側流路１５ｄに入っていく。この場合の、第１移行流路１２ａの各凹部は、本発明に係る被係合部を構成し、ガイドワイヤ挿入補助具２０の外周面の各凸部は、本発明に係る係合部を構成する。
【００３８】
（第２実施形態）
図８ないし図１０は、本発明の第２実施形態に係る医療用チューブセットが備える医療用チューブ３０を示している。この医療用チューブ３０は、基端側部分（図８ないし図１０の右側部分）の外周部分が円筒状に形成され、先端側部分（図８ないし図１０の左側部分）の外周部分が断面形状が扁平な略楕円状に形成されたポリウレタンからなる成形体で構成されている。そして、医療用チューブ３０の基端側から先端側にかけての断面形状は、図１１に示した状態から、図１２、図１３、図１４および図１５に示した状態に徐々に変化している。この医療用チューブ１０は、基端部から全長の略半分の部分にかけては、円筒状の基端側部分３１で構成されており、その内部に、図１１に示したように、断面形状が円形の基端側流路３１ａが形成されている。
【００３９】
そして、基端側部分３１の先端側に第１移行部３２が形成され、第１移行部３２の先端側に第２移行部３３が形成され、さらに、第２移行部３３の先端側に第３移行部３４が形成されている。第１移行部３２は、基端側部分３１を扁平にして、図１２に示したように、断面形状を略楕円状にしており、その内部に第１移行流路３２ａが形成されている。第２移行部３３は、第１移行部３２よりもやや大きな断面形状をしており、図１３に示したように、その断面形状の内周面における長手方向に沿った両側部分にそれぞれ対向する小さな突起を形成して構成されている。そして、第２移行部３３の内部には第２移行流路３３ａが形成されている。
【００４０】
第３移行部３４は、図１４に示したように、第２移行部３３と略同じ肉厚の略楕円状の外周部３４ａと、外周部３４ａの内部に軸方向に沿って形成された断面形状がＨ字状の隔壁部３４ｂとで構成されている。隔壁部３４ｂを構成する両側の各片の先端部はそれぞれ外周部３４ａの内面における長手方向に沿った両側の対向する部分に連結されて、外周部３４ａの内部を四つの第３移行流路３５ａ，３５ｂ，３５ｃ，３５ｄに区分している。第３移行流路３５ａ，３５ｃの断面形状は長方形に形成され、第２移行流路３５ｂ，３５ｄの断面形状は半円状に形成されている。
【００４１】
そして、第３移行部３４の先端側に先端側部分３６が形成されている。この先端側部分３６は、図１５に示したように、第１移行部３２と略同じ肉厚の略円筒状の外周部３６ａと、第３移行部３４から延長して延びてくる断面形状がＨ字状の隔壁部３６ｂとで構成されている。隔壁部３６ｂを構成する両側の各片の先端部はそれぞれ外周部３６ａの内面に連結されて、外周部３６ａの内部を四つの先端側流路３７ａ，３７ｂ，３７ｃ，３７ｄに区分している。
【００４２】
そして、外周部３６ａにおける先端側流路３７ａ，３７ｂ，３７ｃに対応する部分にそれぞれ先端側流路３７ａ，３７ｂ，３７ｃを外部に連通させるためのスリット３８ａ，３８ｂ，３８ｃが、隔壁部３６ｂの中心軸と平行に形成されている。なお、図１６は、図９の１６−１６断面を示しており、図１７は、図１０の１７−１７断面を示している。また、医療用チューブ３０の外周面における第３移行流路３５ｄおよび先端側流路３７ｄが形成された部分およびその部分から基端側部分３１の基端部まで延びる部分には、Ｘ線を通さない不透過性材料からなる本発明の第２の線状目印としてのライン３９が設けられている。
【００４３】
図１８および図１９は、ガイドワイヤ挿入補助具４０を示している。このガイドワイヤ挿入補助具４０は、ガイドワイヤを通すための挿通孔４１を備えた管状に形成されており、基端側部分４２が真っ直ぐに延び、その先端部４３を屈曲させて構成されている。このガイドワイヤ挿入補助具４０では、先端部４３の屈曲した方向で第１の線状目印が構成される。したがって、ガイドワイヤ挿入補助具４０に、ラインは設けられていない。
【００４４】
また、ガイドワイヤ挿入補助具４０は、基端側部分４２を、医療用チューブ３０が延びる方向に平行させた状態で、第１移行流路３２ａから第２移行流路３３ａまで挿入できる形状に形成されている。そして、図２０に示したように、ガイドワイヤ挿入補助具４０の先端部４３が、第２移行部３３の先端側に達すると、隔壁部３４ｂに当接して、ガイドワイヤ挿入補助具４０をそれ以上、医療用チューブ３０内に差し込むことはできなくなる。前述した医療用チューブ３０と、ガイドワイヤ挿入補助具４０と、ガイドワイヤとで本実施形態に係る医療用チューブセットが構成される。
【００４５】
このように構成された医療用チューブセットを用いて、患者の傷部から排液を排出する際にも、前述した第１実施形態と同様の操作が行われる。この場合、ガイドワイヤ挿入補助具４０の先端部４３の屈曲した方向を目印とすることにより、医療用チューブ３０の適正な交換操作が可能になる。これによると、医療用チューブ３０の先端側部分を扁平な管状に形成しても、ガイドワイヤ挿入補助具４０を医療用チューブ３０内の適正な位置に停止させて、その状態のガイドワイヤ挿入補助具４０の挿通孔４１内にガイドワイヤを通すことができる。この実施形態におけるそれ以外の作用効果は、前述した第１実施形態の作用効果と同様である。
【００４６】
また、本発明に係るガイドワイヤ挿入補助具およびそれを備えた医療用チューブセットは、前述した各実施形態に限定するものでなく、本発明の技術範囲内で適宜変更が可能である。例えば、前述した各実施形態では、医療用チューブ１０，３０の先端側部分１４，３６にそれぞれ四つの先端側流路１５ａ等，３７ａ等を設けているが、この流路の数は、四つに限らず他の複数にしてもよい。また、医療用チューブ１０，３０に形成するスリット１６ａ等，３８ａ等の数も一つまたは二つにしてもよい。また、第１実施形態に係る医療用チューブ１０に第１移行部１２を設けず、ガイドワイヤ挿入補助具を円柱状の棒状体に挿通孔を形成したもので構成することもできる。
【００４７】
この場合、医療用チューブの内周面に、凹部または凸部からなる被係合部を設けるとともに、ガイドワイヤ挿入補助具の外周面に、医療用チューブの軸方向に沿って被係合部とスライド係合可能な凸部または凹部からなる係合部を設けることが好ましい。また、第２実施形態に係る医療用チューブ３０の内周面に、凹部または凸部からなる被係合部を設けるとともに、ガイドワイヤ挿入補助具４０の外周面に、医療用チューブの被係合部とスライド係合可能な凸部または凹部からなる係合部を設けることもできる。
【００４８】
さらに、医療用チューブ１０，３０は、一体成形により形成してもよいし、長手方向に沿った各部分をそれぞれ成形したのちに接合することにより形成してもよい。また、医療用チューブの形状も前述した実施形態の形状に限らず適宜変更することができる。さらに、ガイドワイヤ挿入補助具や医療用チューブの構成についても、前述した実施形態に限定するものでなく、適宜変更することができる。
【図面の簡単な説明】
【００４９】
【図１】本発明の第１実施形態で用いられる医療用チューブを示した正面図である。
【図２】図１の２−２断面図である。
【図３】図１の３−３断面図である。
【図４】図１の４−４断面図である。
【図５】図１の５−５断面図である。
【図６】本発明の第１実施形態に係る医療用チューブセットが備えるガイドワイヤ挿入補助具を示した正面図である。
【図７】ガイドワイヤ挿入補助具を示した側面図である。
【図８】本発明の第２実施形態で用いられる医療用チューブを示した正面図である。
【図９】図８の医療用チューブを示した背面図である。
【図１０】図８の医療用チューブを示した平面図である。
【図１１】図８の１１−１１断面図である。
【図１２】図８の１２−１２断面図である。
【図１３】図８の１３−１３断面図である。
【図１４】図８の１４−１４断面図である。
【図１５】図８の１５−１５断面図である。
【図１６】図９の１６−１６断面図である。
【図１７】図１０の１７−１７断面図である。
【図１８】本発明の第２実施形態に係る医療用チューブセットが備えるガイドワイヤ挿入補助具を示した正面図である。
【図１９】図１８のガイドワイヤ挿入補助具を示した側面図である。
【図２０】第２実施形態で用いられる医療用チューブの内部にガイドワイヤ挿入補助具を挿入した状態を示した断面図である。
【符号の説明】
【００５０】
１０，３０…医療用チューブ、１１，３１…基端側部分、１１ａ，３１ａ…基端側流路、１２，３２…第１移行部、１２ａ，３２ａ…第１移行流路、１３，３３…第２移行部、１３ａ，１３ｂ，１３ｃ，１３ｄ，３３ａ…第２移行流路、１４，３６…先端側部分、１５ａ，１５ｂ，１５ｃ，１５ｄ…先端側流路、１６ａ，１６ｂ，１６ｃ，３８ａ，３８ｂ，３８ｃ…スリット、１７，２２，３９…ライン、２０，４０…ガイドワイヤ挿入補助具、２１，４１…挿通孔、３４…第３移行部、３５ａ，３５ｂ，３５ｃ，３５ｄ…第３移行流路、３６…先端側部分、３７ａ，３７ｂ，３７ｃ，３７ｄ…先端側流路、４２…基端側部分、４３…先端部。
【図１】
0005270951.tif 000002
【図２】
0005270951.tif 000003
【図３】
0005270951.tif 000004
【図４】
0005270951.tif 000005
【図５】
0005270951.tif 000006
【図６】
0005270951.tif 000007
【図７】
0005270951.tif 000008
【図８】
0005270951.tif 000009
【図９】
0005270951.tif 000010
【図１０】
0005270951.tif 000011
【図１１】
0005270951.tif 000012
【図１２】
0005270951.tif 000013
【図１３】
0005270951.tif 000014
【図１４】
0005270951.tif 000015
【図１５】
0005270951.tif 000016
【図１６】
0005270951.tif 000017
【図１７】
0005270951.tif 000018
【図１８】
0005270951.tif 000019
【図１９】
0005270951.tif 000020
【図２０】
0005270951.tif 000021